(57)【特許請求の範囲】
【請求項１】
内容物を充填する容器本体と、容器本体の口部に装着されその先端部の塗布面への接触によって容器本体内の内容物を排出、供給する塗布ノズルと、該塗布ノズルを覆い隠して容器本体に着脱自在に装着されるカバーキャップからなる容器において、
前記塗布ノズルを、容器本体内に通じる開口を有し先端が先細り形状になるノズル本体部分と、ノズル本体部分の内側で局所的に接触して液密状態に弾性支持され該ノズル本体部分の開口を通してその先端部を外界に露出させる弁体部分とにて構成し、
前記ノズル本体部分の先端に、開口の周りに沿い間隔をおいて配置される複数の突起を設け、
前記カバーキャップに、その天板裏面から垂下されノズル本体部分と弁体部分との相互間で弁体部分の全周を取り囲むとともにノズル本体部分の開口内壁面に接触して液漏れの防止を図り、かつ、弁体部分による液密状態を保持したままで該開口を極狭い空間によって隔てるシールリングを設置したことを特徴とする塗布ノズル付き容器。
【請求項２】
ノズル本体部分は、その少なくとも先端が弾性変形能に優れたエラストマー体からなる、請求項１記載の塗布ノズル付き容器。
【請求項３】
ノズル本体部分と弁体部分の接触領域に、容器本体の内外をつなぐ少なくとも一本の通路を形成してなる、請求項１または２記載の容器。
【請求項４】
容器が、金属材料を除く素材よりなる、請求項１〜３の何れかに記載の容器。
【請求項５】
内容物が、洗浄剤組成物である、請求項１〜４の何れかに記載の容器。
【請求項６】
内容物が、漂白剤組成物である、請求項１〜４の何れかに記載の容器。
【発明の詳細な説明】
【０００１】
【発明の属する技術分野】
本発明は、塗布ノズル付き容器に関するものであって、カバーキャップ内での内容物の付着、堆積あるいは流出を最小限に留めるとともに、容器内の内容物を塗布すべき領域へ液だれを生じることなしにスポット的に確実に排出、供給しようとするものである。
【０００２】
【従来の技術】
浴槽洗剤や黴び取り材等の液状の内容物を充填した容器は、容器の本体胴部をスクイズしてノズルの先端開口から内容物を排出するものやトリガーの牽曳により内容物を吸引加圧して噴射するもの等が一般的である。
【０００３】
ところで、これまでに知られているスクイズ形式の容器やトリガー形式の容器では、内容物が広範囲にわたって排出されるため、内容物をある一定の領域、例えばタイルの目地等のみにおいてスポット的に供給する必要がある場合にはそれに対処できないところに問題を残している。また、この種の容器は、キャップを装着した収納状態ではノズルの周りには比較的広い空間が形成されるため、キャップ内には使用時にノズルに付着した内容物が付着、堆積しやすく、しかも、キャップの装着状態で内容物が誤ってノズルから流出してしまうようなことが起きた場合には、キャップ内には内容物が溜まったままになることから、キャップを取り外したときにその内容物が流れ出て身体に付着してしまうおそれがある。
【０００４】
【発明が解決しようとする課題】
本発明の課題は、キャップ内における内容物の堆積や流出を最小限に留めるとともに、液だれを生じることなしにスポット的に内容物を排出できる塗布ノズル付きの容器を提案するところにある。
【０００５】
【課題を解決するための手段】
本発明は、内容物を充填する容器本体と、容器本体の口部に装着されその先端部の塗布面への接触によって容器本体内の内容物を排出、供給する塗布ノズルと、該塗布ノズルを覆い隠して容器本体に装着されるカバーキャップからなる容器において、
前記塗布ノズルを、容器本体内に通じる開口を有し先端が先細り形状になる環状のノズル本体部分と、ノズル本体部分の内側で局所的に接触して液密状態に弾性支持され該ノズル本体部分の開口を通してその先端部を外界に露出させる弁体部分とにて構成し、
前記ノズル本体部分の先端に、開口の周りに沿い間隔をおいて配置される複数の突起を設け、前記カバーキャップに、その天板裏面から垂下されノズル本体部分と弁体部分との相互間で弁体部分の全周を取り囲むとともにノズル本体部分の開口内壁面に接触して液漏れの防止を図り、かつ、弁体部分による液密状態を保持したままで該開口を極狭い空間によって隔てるシールリングを設置したことを特徴とする塗布ノズル付き容器である。
【０００６】
上記の構成になる容器においては、ノズル本体部分はその少なくとも先端をエラストマー体にて形成するのが好ましい。
【０００７】
また、ノズル本体部分と弁体部分の接触領域には、容器本体の内外をつなぐ少なくとも一本の通路を形成することができる。
【０００８】
容器を構成する素材は、金属材料を除くもの、例えば、ポリエチレン、ポリプロピレン等のポリオレフィン系樹脂を採用することができ、とくに、ノズル本体部分及び該ノズル本体部分の内側に弾性支持される弁体部分については、低密度ポリエチレンで構成するのが好適である。内容物については塩酸、硫酸、リンゴ酸、クエン酸等を主体とした酸性系、界面活性剤等を主体とした中性系、苛性アルカリ、アルカノールアミン、炭酸塩、ケイ酸塩等を主体としたアルカリ系等の洗浄剤組成物あるいは過炭酸塩、過ほう酸塩、過酸化水素等を主体とした酸素系、次亜塩素酸塩、塩素化シアヌレート酸塩等を主体とした塩素系、二酸化チオ尿素、ハイドロサルファイト等を主体とした還元系等の漂白剤組成物とすることができる。
【０００９】
【発明の実施の形態】
以下、図面を用いて本発明をより具体的に説明する。
図１は本発明に従う塗布ノズル付き容器の構成をその断面で示したものである。図中１は内容物を充填する容器本体、２は容器本体１の口部１ａに装着されその先端部の塗布面への接触によって内容物を排出、供給する塗布ノズルである。
【００１０】
塗布ノズル２は、ノズル本体部分２ａと弁体部分２ｂからなる。このうち、ノズル本体部分２ａは容器本体１内に通じる開口ｈを有し先端が先細り形状になっており、弁体部分２ｂについてはノズル本体部分２ａの内側で局所的に接触して液密状態に弾性支持されノズル本体部分２ａの開口ｈを通してその先端部が外界に露出している。
【００１１】
ノズル本体部分２ａの先端には、開口ｈの周りに沿い間隔をおいて複数の突起２ｃが配置されている。
【００１２】
また、３はノズル本体２ａと弁体部分２ｂとの接触領域において細溝あるいは細長い凸部によって形成された容器本体１の内外をつなぐ通路、４は弁体部分２ｂと一体に成形され内容物の排出量を押圧度合いによって変更可能とする弾性部材、そして、５は塗布ノズル２を覆い隠して容器本体１に例えばねじ止めの如き係合手段によって着脱自在に装着されるカバーキャップである。カバーキャップ５は、ノズル本体部分２ａと弁体部分２ｂとの相互間で弁体部分２ｂの全周を取り囲むとともにノズル本体部分２ａの開口内壁面に接触して液漏れの防止を図るシールリング５ａを備えている。
【００１３】
図２に、上掲図１に示した塗布ノズル付き容器の先端部分の外観斜視図を示す。
【００１４】
カバーキャップ５に、ノズル本体部分２ａの開口内壁面に接触するシールリング５ａを設けることにより、該カバーキャップ５を装着した際に、開口ｈは極狭い空間によって隔てられることになるので、内容物の吐出時に弁体部分２ｂに付着した内容物の堆積を最小限に留めることができ、また、予期しない流出によってカバーキャップ５内に内容物が排出されたとしてもその排出量を最小限に留めることが可能となり、カバーキャップ５を外した時の身体への付着やキャップ５の内側の汚れによる不快感は回避されることになる。
【００１５】
カバーキャップ５を取り外したのちにおいて塗布ノズル２を図３に示す如く塗布面に接触させると弁体部分２ｂは弾性部材４の弾性力に抗して容器の内側に向かって押されることとなり、この時、液密状態が解除されノズル本体部分２ａの開口ｈを通して容器内の内容物が排出される。
【００１６】
塗布ノズル２のノズル本体部分２ａは先端が先細り形状になっていることから塗布面あるいはコーナー部等にスポット的に内容物を塗布することが可能になる。そしてその先端の突起２ｃの相互間から内容物が排出されるので、塗布ノズル２が塗布面に押し付けられた状態にあっても内容物が均一な厚さのもとで塗布される。
【００１７】
弁体部分２ｂとノズル本体部分２ａが接触する部分は基本的には液密状態を維持する領域であるが、その相互間に通路３を設けこれによって容器内にエアーを導入する。
【００１８】
容器がスクイズタイプである場合には該通路３からのエアーの導入により容器の外観は常に所定の形状に保持される。
【００１９】
図４に弁体部分２ｂに通路３を形成するための細溝を設けた例を、また、図５（ａ）（ｂ）に容器の外観の一例をそれぞれ示す。
【００２０】
突起２ｃの外観形状については、塗布面、内容物の種類に応じて適宜に変更することができる。
【００２１】
図６はノズル本体部分２ａを基部２ａ１とこの基部２ａ１に被さり塗布ノズル２の外観形状を形作る弾性変形能に優れたエラストマー体２ａ２にて構成した例を示したものである。基部２ａ１の外側にエラストマー体２ａ２を配置することによりその弾性変形によって塗布面の形状に容易に追随、対応することが可能になる。
【００２２】
本発明に従う塗布ノズル付きの容器において弁体部分２ｂについては、それと一体に成形される弾性部材（スプリング）４にて弾性支持することができるものであり、これにより部品点数の軽減を図ることが可能になる。
【００２３】
【発明の効果】
本発明によれば、カバーキャップの装着時にノズル本体部分の開口は極狭い空間によって隔てられているので、内容物の排出に際して弁体部分に付着した内容物のキャップ内における堆積を最小限に留めることができるだけでなく、カバーキャップの装着状態で内容物が流出するようなことがあってもその量を極めて少なくできる。
【００２４】
また、本発明によれば、容器内の内容物のたれを生じることなしに所望の領域に均一な厚さのもとで確実に塗布できる。
【図面の簡単な説明】
【図１】  本発明に従う塗布ノズル付き容器の構成説明図である。
【図２】  図１に示した容器の先端部分の外観斜視図である。
【図３】  内容物の塗布状況を示した図である。
【図４】  弁体部分の外観を示した図である。
【図５】  （ａ）（ｂ）容器の外観を側面及び平面について示した図である。
【図６】  本発明に従う塗布ノズル付き容器の他の構成例を示した図である。
【符号の説明】
１  容器本体
１ａ  口部
２  塗布ノズル
２ａ  ノズル本体部分
２ａ１  基部
２ａ２  エラストマー体
２ｂ  弁体部分
２ｃ  突起
３  通路
４  弾性部材
５  カバーキャップ
５ａ  シールリング
ｈ  開口
【図１】
0003901491.tif 000002
【図２】
0003901491.tif 000003
【図３】
0003901491.tif 000004
【図４】
0003901491.tif 000005
【図５】
0003901491.tif 000006
【図６】
0003901491.tif 000007